(57)【要約】      （修正有）【課題】入力装置の意匠部から輝度の高い光を出射することができる入力装置を提供する。【解決手段】入力装置は、光を発する光源２０と、意匠部１１０が形成される第１シート３１と、導電パターン３３を有し、導電パターン３３に光源２０が実装されるとともに、光源２０とは異なる位置にタッチセンサ電極５０が配置される第２シート３２と、第１シート３１と第２シート３２との間に挟まれ、第１シート３１及び第２シート３２と一体的に形成され、かつ、光源２０が発した光を導光する本体１０と、光源２０から意匠部１１０までの光路上に配置され、本体１０の内部を導光する光を意匠部１１０に案内する、本体１０とは別体の案内部である導光体１２０とを備える。また、光源２０及び導光体１２０は、第２シート３２の本体１０側の面に沿って配置される。また、本体１０は、光源２０及び導光体１２０を内包した状態で一体的に形成される。【選択図】図３Ａ
2020061352.tif 000002
【特許請求の範囲】
【請求項１】
光を発する光源と、
意匠部が形成される第１シートと、
導電パターンを有し、前記導電パターンに前記光源が実装されるとともに、前記光源とは異なる位置にタッチセンサ電極が配置される第２シートと、
前記第１シートと前記第２シートとの間に挟まれ、前記第１シート及び前記第２シートと一体的に形成され、かつ、前記光源が発した光を導光する本体と、
前記光源から前記意匠部までの光路上に配置され、前記本体の内部を導光する光を前記意匠部に案内する、前記本体とは別体の案内部とを備え、
前記光源及び前記案内部は、前記第２シートの前記本体側の面に沿って配置され、
前記本体は、前記光源及び前記案内部を内包した状態で一体的に形成される
入力装置。
【請求項２】
前記案内部は、前記光源と対向しかつ光が入射する入射面と、前記意匠部と対向しかつ光が出射する出射面と、前記入射面及び前記出射面以外の面であり、内部を導光する光を前記出射面側に反射する反射面とを有する導光体である
請求項１に記載の入力装置。
【請求項３】
前記反射面には、前記導光体に積層された光反射材、及び、光反射シートの少なくともいずれか一方が配置される
請求項２に記載の入力装置。
【請求項４】
前記反射面は、傾斜面を有し、
前記傾斜面は、前記光源とで前記入射面を挟み、前記入射面に対する前記光源側とは反対側に配置され、かつ、前記意匠部とで前記出射面を挟み、前記出射面に対する前記意匠部側とは反対側に配置される
請求項２又は３に記載の入力装置。
【請求項５】
前記傾斜面は、自由曲面である
請求項４に記載の入力装置。
【請求項６】
前記入射面、前記出射面及び前記導光体の内部の少なくともいずれかには、光拡散材が分散される
請求項２〜５のいずれか１項に記載の入力装置。
【請求項７】
前記入射面、前記出射面及び前記導光体の内部の少なくともいずれかには、着色剤が分散される
請求項２〜６のいずれか１項に記載の入力装置。
【請求項８】
前記導光体の軟化点は、前記本体の軟化点よりも高い
請求項２〜７のいずれか１項に記載の入力装置。
【請求項９】
前記案内部は、遮光性を有する遮光部であり、
前記本体は、前記遮光部によって前記光路を形成する
請求項１に記載の入力装置。
【請求項１０】
前記遮光部は、白色樹脂材又は黒色樹脂材で構成される
請求項９に記載の入力装置。
【請求項１１】
前記遮光部は、樹脂材の少なくとも１つの面に光を透過しない不透過膜、または、光の反射膜を備えて構成される
請求項９に記載の入力装置。
【請求項１２】
前記第１シートは、前記意匠部が形成された部分を通過する光以外の光を遮光する
請求項１〜１１のいずれか１項に記載の入力装置。
【請求項１３】
光を発する光源と、
意匠部が形成された第１シートと、
導電パターンを有し、前記導電パターンに前記光源が実装されるとともに、前記光源とは異なる位置にタッチセンサ電極が配置される第２シートと、
前記第１シートと前記第２シートとの間に挟まれて前記第１シート及び前記第２シートと一体的に形成され、かつ、前記光源が発した光を導光する本体とを備え、
前記光源は、前記光源の出射する光の光軸が前記意匠部に向く姿勢で前記第２シートに実装され、
前記本体は、前記光源を内包した状態で一体的に形成される
入力装置。
【請求項１４】
さらに、遮光性を有する遮光部を備え、
前記本体は、前記遮光部によって前記光源から前記意匠部までの光路を形成する
請求項１３に記載の入力装置。
【請求項１５】
前記遮光部は、白色樹脂材又は黒色樹脂材で構成される
請求項１４に記載の入力装置。
【請求項１６】
前記第１シートは、前記意匠部が形成された部分を通過する光以外の光を遮光する
請求項１３〜１５のいずれか１項に記載の入力装置。
【請求項１７】
さらに、前記第２シートの前記本体側とは反対側の裏面に配置され、前記導電パターン及び前記タッチセンサ電極と電気的に接続されるコネクタを備える
請求項１〜１６のいずれか１項に記載の入力装置。
【請求項１８】
前記コネクタは、ケーブルと電気的に接続し、
前記第２シートを垂直方向に視た場合に、前記ケーブルが前記第２シートからはみ出ていない
請求項１７に記載の入力装置。
【請求項１９】
前記ケーブルは、前記第２シートの前記裏面に沿う方向から前記第２シートに対する垂直方向までの間の角度に配置される
請求項１８に記載の入力装置。
【請求項２０】
前記第２シートには、前記裏面の反対側の面である表面に前記導電パターンが形成され、かつ、前記コネクタと前記導電パターンとを電気的に接続されるスルーホールが形成される
請求項１７〜１９のいずれか１項に記載の入力装置。
【請求項２１】
前記コネクタと前記導電パターンとの間には、複数の前記スルーホールが形成される
請求項２０に記載の入力装置。
【請求項２２】
前記第２シートは、平板状の平面部と、湾曲した曲面部とを有し、
前記曲面部に形成される前記導電パターンは、前記平面部に形成される前記導電パターンよりも幅が大きい
請求項１７〜２１のいずれか１項に記載の入力装置。
【請求項２３】
前記コネクタは、前記平面部に配置される
請求項２２に記載の入力装置。
【請求項２４】
前記第２シートは、さらに、前記第１シートに近づくように形状が変形した凹部を有し、
前記凹部には、前記コネクタが配置される
請求項１７〜２３のいずれか１項に記載の入力装置。
【請求項２５】
前記第２シートは、フレキシブル基板である
請求項１〜２４のいずれか１項に記載の入力装置。
【請求項２６】
前記導光体は、前記光源の発光面を含む少なくとも一部を覆うように、前記第２シートの前記本体側の面に沿って配置される
請求項２〜８のいずれか１項に記載の入力装置。
【発明の詳細な説明】
【技術分野】
【０００１】
本開示は、入力装置に関する。
【背景技術】
【０００２】
従来の入力装置として、模様が施された第１のフィルムと、導電パターンを備えた可撓性を有する第２のフィルムと、第１のフィルムと第２のフィルムとの間に設けられたベースとを備える電子機器用外観ケースが特許文献１に開示されている。この電子機器用外観ケース側にはＬＥＤが配置されており、ＬＥＤで表示部を照光することで、第１のフィルムの模様が光る。
【先行技術文献】
【特許文献】
【０００３】
【特許文献１】特開２００９−１３０２８３号公報
【発明の概要】
【発明が解決しようとする課題】
【０００４】
しかしながら、ＬＥＤを点灯させた場合では第１のフィルムの模様を光らせることができるが、光らせたい当該模様以外の模様、例えば当該模様に隣接する模様を光らせてしまうことがある。つまり、隣接する模様から光漏れが発生してしまう。これでは、光らせたい模様から十分な輝度の光が出射され難くなる。
【０００５】
また、入力装置を設置する環境によっては薄型化が求められる場合がある。しかし、従来の入力装置のように、電子機器用外観ケース側にＬＥＤを配置する構成では、入力装置の厚みが厚くなってしまう。
【０００６】
そこで、本開示は、入力装置の意匠部から輝度の高い光を出射することができ、かつ、入力装置の厚みを薄くすることができる入力装置を提供することを目的とする。
【課題を解決するための手段】
【０００７】
本開示の一態様に係る入力装置は、光を発する光源と、意匠部が形成される第１シートと、導電パターンを有し、前記導電パターンに前記光源が実装されるとともに、前記光源とは異なる位置にタッチセンサ電極が配置される第２シートと、前記第１シートと前記第２シートとの間に挟まれ、前記第１シート及び前記第２シートと一体的に形成され、かつ、前記光源が発した光を導光する本体と、前記光源から前記意匠部までの光路上に配置され、前記本体の内部を導光する光を前記意匠部に案内する、前記本体とは別体の案内部とを備え、前記光源及び前記案内部は、前記第２シートの前記本体側の面に沿って配置され、前記本体は、前記光源及び前記案内部を内包した状態で一体的に形成される。
【０００８】
また、本開示の一態様に係る入力装置は、光を発する光源と、意匠部が形成された第１シートと、導電パターンを有し、前記導電パターンに前記光源が実装されるとともに、前記光源とは異なる位置にタッチセンサ電極が配置される第２シートと、前記第１シートと前記第２シートとの間に挟まれて前記第１シート及び前記第２シートと一体的に形成され、かつ、前記光源が発した光を導光する本体とを備え、前記光源は、前記光源の出射する光の光軸が前記意匠部に向く姿勢で前記第２シートに実装され、前記本体は、前記光源を内包した状態で一体的に形成される。
【発明の効果】
【０００９】
本開示では、入力装置の意匠部から輝度の高い光を出射することができる。
【図面の簡単な説明】
【００１０】
【図１】図１は、実施の形態１に係る入力装置を備えた収納ボックスを例示した斜視図である。
【図２】図２は、実施の形態１に係る入力装置を例示した斜視図である。
【図３Ａ】図３Ａは、図２のＩＩＩ−ＩＩＩ線における入力装置の断面を例示した断面図である。
【図３Ｂ】図３Ｂは、実施の形態１に係る入力装置の断面を例示した断面図である。
【図３Ｃ】図３Ｃは、実施の形態１に係る入力装置の断面を例示した断面図である。
【図３Ｄ】図３Ｄは、実施の形態１に係る入力装置の断面を例示した断面図である。
【図４】図４は、実施の形態１に係る光源と、導光体と、意匠部とを例示した模式図である。
【図５】図５は、実施の形態１に係る入力装置を例示したブロック図である。
【図６】図６は、実施の形態１に係る入力装置の操作部の点灯時と消灯時とを例示した平面図である。
【図７】図７は、実施の形態１の変形例１に係る入力装置の断面を例示した断面図である。
【図８】図８は、実施の形態１の変形例１に係る光源と、導光体と、意匠部とを例示した模式図である。
【図９】図９は、実施の形態１の変形例２に係る入力装置の断面を例示した断面図である。
【図１０】図１０は、実施の形態１の変形例２に係る光源と、導光体と、意匠部とを例示した模式図である。
【図１１Ａ】図１１Ａは、実施の形態２に係る光源と、遮光部とを例示した模式図である。
【図１１Ｂ】図１１Ｂは、実施の形態２の変形例に係る光源と、遮光部とを例示した模式図である。
【図１２】図１２は、実施の形態３に係る入力装置の断面を例示した断面図である。
【図１３】図１３は、実施の形態３の変形例に係る光源と、遮光部とを例示した模式図である。
【図１４】図１４は、実施の形態４に係る表示装置を例示した斜視図である。
【図１５】図１５は、実施の形態４に係る表示装置の第２シート、コネクタ及びケーブルを例示した斜視図である。
【図１６Ａ】図１６Ａは、図１５のＸＶＩＡ−ＸＶＩＡ線における表示装置の第２シート、コネクタ及びケーブルの断面を例示した断面図である。
【図１６Ｂ】図１６Ｂは、図１５のＸＶＩＢ−ＸＶＩＢ線における表示装置の第２シート、コネクタ及びケーブルの断面を例示した断面図である。
【図１７Ａ】図１７Ａは、第２シートの隅以外にコネクタが配置された場合における、第２シート、コネクタ及びケーブルを例示した模式図である。
【図１７Ｂ】図１７Ｂは、第２シートの隅にコネクタが配置された場合における、表示装置の第２シート、コネクタ及びケーブルを例示した模式図である。
【図１８Ａ】図１８Ａは、第２シート及び導電パターンを平面視した場合の平面図である。
【図１８Ｂ】図１８Ｂは、図１８ＡのＸＶＩＩＩＢ−ＸＶＩＩＩＢ線における第２シート及び導電パターンの断面を例示した断面図である。
【図１９】図１９は、実施の形態５に係る表示装置の第２シート、コネクタ及びケーブルの断面を例示した断面図である。
【発明を実施するための形態】
【００１１】
本開示の一態様に係る入力装置は、光を発する光源と、意匠部が形成される第１シートと、導電パターンを有し、前記導電パターンに前記光源が実装されるとともに、前記光源とは異なる位置にタッチセンサ電極が配置される第２シートと、前記第１シートと前記第２シートとの間に挟まれ、前記第１シート及び前記第２シートと一体的に形成され、かつ、前記光源が発した光を導光する本体と、前記光源から前記意匠部までの光路上に配置され、前記本体の内部を導光する光を前記意匠部に案内する、前記本体とは別体の案内部とを備え、前記光源及び前記案内部は、前記第２シートの前記本体側の面に沿って配置され、前記本体は、前記光源及び前記案内部を内包した状態で一体的に形成される。
【００１２】
このように、案内部は、光源が発した光を意匠部に案内する。このため、意匠部には、光が集められる。
【００１３】
また、光源及び案内部は、第２シートの本体側の同一面上に配置されることになる。このため、光源及び案内部は、第１シートと第２シートとの間に配置されるとともに、本体に全てが一体化されるため、入力装置の厚みが大きくなり難い。
【００１４】
したがって、この入力装置では、入力装置の意匠部から輝度の高い光を出射することができ、かつ、入力装置の厚みを薄くすることができる。その結果、ユーザは、意匠部の模様を視認し易くなる。また、設置面に入力装置を設置した場合、ユーザは、設置面に対して飛び出た入力装置の場合の凹凸が抑制される。その結果、例えば、収納ボックスを構成する蓋部のような薄い部材の設置面にも、入力装置を適用することができるとともに、入力操作部分を均一面状とすることができるので、意匠性が向上する。
【００１５】
また、本開示の他の態様に係る入力装置は、光を発する光源と、意匠部が形成された第１シートと、導電パターンを有し、前記導電パターンに前記光源が実装されるとともに、前記光源とは異なる位置にタッチセンサ電極が配置される第２シートと、前記第１シートと前記第２シートとの間に挟まれて前記第１シート及び前記第２シートと一体的に形成され、かつ、前記光源が発した光を導光する本体とを備え、前記光源は、前記光源の出射する光の光軸が前記意匠部に向く姿勢で前記第２シートに実装され、前記本体は、前記光源を内包した状態で一体的に形成される。
【００１６】
この場合においても上述と同様の作用効果を奏する。
【００１７】
また、本開示の他の態様に係る入力装置において、前記案内部は、前記光源と対向しかつ光が入射する入射面と、前記意匠部と対向しかつ光が出射する出射面と、前記入射面及び前記出射面以外の面であり、内部を導光する光を前記出射面側に反射する反射面とを有する導光体である。
【００１８】
このように、導光体では、入射面から入射して内部を導光する光が第１反射面（反射面の一例）に入射し、第１反射面で反射する。第１反射面で反射した光は、出射面から出射し、意匠部に向かう。このため、意匠部に光を集めることができる。これにより、この入力装置では、入力装置の意匠部からより輝度の高い光を出射することができる。
【００１９】
また、本開示の他の態様に係る入力装置において、前記反射面には、前記導光体に積層された光反射材、及び、光反射シートの少なくともいずれか一方が配置される。
【００２０】
このように、導光体は、より確実に出射面から光を出射させることができる。
【００２１】
また、本開示の他の態様に係る入力装置において、前記反射面は、傾斜面を有し、前記傾斜面は、前記光源とで前記入射面を挟み、前記入射面に対する前記光源側とは反対側に配置され、かつ、前記意匠部とで前記出射面を挟み、前記出射面に対する前記意匠部側とは反対側に配置される。
【００２２】
このように、光源が発する光は、入射面を介して傾斜面に入射して、傾斜面で出射面に向けて反射する。出射面から出射した光が意匠部に向かい易くなるため、意匠部に光をより集めることができる。これにより、この入力装置では、入力装置の意匠部からより輝度の高い光を出射することができる。
【００２３】
また、本開示の他の態様に係る入力装置において、前記傾斜面は、自由曲面である。
【００２４】
このように、傾斜面が自由曲面であっても上述と同様の作用効果を奏する。また、傾斜面が自由曲面であれば、意匠部の位置、大きさ及び形状に応じて、傾斜面の曲率を変えることもできる。このため、意匠部に応じた導光体を用いることができるため、この入力装置では意匠部の設計の自由度を高くすることができる。
【００２５】
また、本開示の他の態様に係る入力装置において、前記入射面、前記出射面及び前記導光体の内部の少なくともいずれかには、光拡散材が分散される。
【００２６】
このように、光源から意匠部までの光路上に光拡散材が存在しているため、導光する光を確実に拡散することができる。このため、拡散された光が意匠部に集まるため、意匠部は、輝度斑が抑制された光を出射することができる。
【００２７】
また、本開示の他の態様に係る入力装置において、前記入射面、前記出射面及び前記導光体の内部の少なくともいずれかには、着色剤が分散される。
【００２８】
このように、光源から意匠部までの光路上に着色剤が存在しているため、導光する光の色を所望の色に着色する（変更する）ことができる。
【００２９】
また、本開示の他の態様に係る入力装置において、前記導光体の軟化点は、前記本体の軟化点よりも高い。
【００３０】
入力装置を製造する場合において、例えば、光源、導光体等を実装した第２シートを金型に収容し、樹脂材料を用いたインサート成形によって本体を形成することで、入力装置を得ることができる。この場合、導光体の軟化点が、本体となる樹脂材料の軟化点よりも低ければ、インサート成形時に導光体が融解してしまうことがある。しかし、導光体の軟化点が本体の軟化点よりも高いため、導光体の融解を抑制することができる。
【００３１】
また、本開示の他の態様に係る入力装置において、前記案内部は、遮光性を有する遮光部であり、前記本体は、前記遮光部によって前記光路を形成する。
【００３２】
また、本開示の他の態様に係る入力装置において、前記遮光部は、樹脂材の少なくとも１つの表面に光を透過しない不透過膜、または、光の反射膜を備えて構成される。
【００３３】
また、本開示の他の態様に係る入力装置は、さらに、遮光性を有する遮光部を備え、前記本体は、前記遮光部によって前記光源から前記意匠部までの光路を形成する。
【００３４】
これらのように、遮光部が本体に光路を形成するため、意匠部に光を集めることができる。
【００３５】
また、本開示の他の態様に係る入力装置において、前記遮光部は、白色樹脂材又は黒色樹脂材で構成される。
【００３６】
このように、遮光部は光を反射することで、光を遮光する機能を有する。
【００３７】
また、本開示の他の態様に係る入力装置において、前記第１シートは、前記意匠部が形成された部分を通過する光以外の光を遮光する。
【００３８】
このように、遮光部は、意匠部以外の所からの光漏れを抑制することができる。このため、意匠部から輝度の高い光を出射することができる。
【００３９】
本開示の一態様に係る入力装置は、さらに、前記第２シートの前記本体側とは反対側の裏面に配置され、前記導電パターン及び前記タッチセンサ電極と電気的に接続されるコネクタを備える。
【００４０】
このように、コネクタは、第２シートにおいて光源とは反対側に配置され、導電パターンにより光源と電気的に接続される。このため、フラットケーブル等のケーブルは、コネクタを介して光源と接続されるので、従来のような延出部が無くなる。これにより、入力装置に応力がかかったとしても、断線が発生し難くなる。
【００４１】
したがって、入力装置の配線の断線を抑制することができる。
【００４２】
本開示の一態様に係る入力装置において、前記コネクタは、ケーブルと電気的に接続し、前記第２シートを垂直方向に視た場合に、前記ケーブルが前記第２シートからはみ出ていない。
【００４３】
例えば、第２シートを垂直方向に視た場合にケーブルが第２シートからはみ出ていれば、ケーブルが入力装置から露出することで入力装置に隙間が出来てしまい、防水効果が低下したり、ケーブルを覆うための入力装置が大型化したりすることがある。しかしながら、ケーブルが第２シートからはみ出ていなければ、このような問題点が生じ難い。
【００４４】
本開示の一態様に係る入力装置において、前記ケーブルは、前記第２シートの前記裏面に沿う方向から前記第２シートに対する垂直方向までの間の角度に配置される。
【００４５】
このように、接続先のコネクタに向けて、第２シートにコネクタを配置すれば、ケーブルを折り返すことなく、コネクタに電気的に接続されたケーブルの引き出し方向を滑らかにすることができる。このため、ケーブルを無理に折り返したりすることによる、ケーブルの断線が生じるといったことを抑制できる。
【００４６】
本開示の一態様に係る入力装置において、前記第２シートには、前記裏面の反対側の面である表面に前記導電パターンが形成され、かつ、前記コネクタと前記導電パターンとを電気的に接続されるスルーホールが形成される。
【００４７】
このように、スルーホールは、コネクタと導電パターンとを電気的に接続することができるので、第２シートの上にコネクタを面実装できる。したがって、入力装置を小型化することができる。
【００４８】
本開示の一態様に係る入力装置において、前記コネクタと前記導電パターンとの間には、複数の前記スルーホールが形成される。
【００４９】
溶解樹脂による第２シートをインサート成形する場合、高温、高圧の溶解樹脂の流れ込みにより、スルーホールが断線してしまうことがある。しかし、スルーホールが複数あれば、一部のスルーホールが断線しても、断線していない残りのスルーホールが表面側の導電パターンと、裏面側のコネクタとを電気的に接続する。このため、第２シートのインサート成形時における信頼性を確保することができる。
【００５０】
本開示の一態様に係る入力装置において、前記第２シートは、平板状の平面部と、湾曲した曲面部とを有し、前記曲面部に形成される前記導電パターンは、前記平面部に形成される前記導電パターンよりも幅が大きい。
【００５１】
導電パターンが形成された第２シートをフォーミングする際に、第２シートの導電パターンも同時にフォーミングされる。このため、フォーミングによる張力によって、導電パターンが断線してしまうことがある。しかし、曲面部に形成される導電パターンは、平面部に形成される導電パターンよりも幅が大きいため、フォーミングによる導電パターンの断線が生じ難くなる。
【００５２】
本開示の一態様に係る入力装置において、前記コネクタは、前記平面部に配置される。
【００５３】
これにより、コネクタが第２シートの裏面から浮いてしまうといったことが発生し難くなる。このため、コネクタを第２シートに強固に固定することができる。
【００５４】
本開示の一態様に係る入力装置において、前記第２シートは、さらに、前記第１シートに近づくように形状が変形した凹部を有し、前記凹部には、前記コネクタが配置される。
【００５５】
これにより、入力装置の厚みが大きくなることを抑制することができる。
【００５６】
また、本開示の他の態様に係る入力装置において、前記第２シートは、フレキシブル基板である。
【００５７】
これによれば、光源等を第２シートに実装し易くなり、かつ、タッチセンサ電極を第２シートに容易に形成し易くなる。
【００５８】
また、本開示の他の態様に係る入力装置において、前記導光体は、前記光源の発光面を含む少なくとも一部を覆うように、前記第２シートの前記本体側の面に沿って配置される。
【００５９】
例えば、光源の発光面が導光体から離間していれば、光源が発した光は、本体を導光して導光体に入射し、導光体に入射して導光した光が本体に入射し、本体に入射して導光した光が意匠面に案内される。しかし、本開示の入力装置によれば、光源が発した光は、導光体を導光して本体に入射し、本体に入射して導光した光が意匠面に案内される。このように、互いに屈折率の異なる導光体と本体との境界を光が通過する際に、境界が少ない分、この境界で反射される光の減衰を抑制することができる。
【００６０】
以下、実施の形態について、図面を参照しながら具体的に説明する。なお、以下で説明する実施の形態は、いずれも本開示の一具体例を示すものである。以下の実施の形態で示される数値、形状、材料、構成要素、構成要素の配置位置及び接続形態などは、一例であり、本開示を限定する主旨ではない。また、以下の実施の形態における構成要素のうち、最上位概念を示す独立請求項に記載されていない構成要素については、任意の構成要素として説明される。
【００６１】
また、各図は、模式図であり、必ずしも厳密に図示されたものではない。また、各図において、実質的に同一の構成に対しては同一の符号を付しており、重複する説明は省略又は簡略化する。
【００６２】
また、以下の説明において、「表面」とは、入力装置を視認することができる側（Ｘ軸方向のプラス側であり、以下、Ｘ軸プラス方向と呼ぶ）の面であり、「裏面」とはその反対方向側（Ｘ軸方向のマイナス側であり、以下、Ｘ軸マイナス方向と呼ぶ）の面である。また、Ｘ軸方向と交差し、かつ、入力装置の長さ方向をＹ軸方向と規定する。そして、Ｘ軸方向及びＹ軸方向と交差する方向をＺ軸方向と規定する。
【００６３】
以下、本開示の実施の形態に係る入力装置について説明する。
【００６４】
（実施の形態１）
［構成］
図１は、実施の形態１に係る入力装置１を備えた収納ボックス１００を例示した斜視図である。図１では車両の車室内の様子を例示している。
【００６５】
図１に示すように、車両の車室には、収納ボックス１００が配置される。収納ボックス１００は、眼鏡、財布等を収納する。なお、収納ボックス１００は、車両に限定されず、航空機、住宅等の施設等でもよく、配置場所は特に限定されない。
【００６６】
収納ボックス１００は、入力装置１を備える。
【００６７】
入力装置１は、例えば、収納ボックス１００及び天井窓（例えばサンルーフ）の開閉を操作したり、車室内の照明装置を点灯させたりする等の機能を有する。入力装置１は、収納ボックス１００の蓋部としての役割を担っている。入力装置１には、このような機能を実行するための複数の操作部３を有する。操作部３は、後述する意匠部１１０に対応する部分である。ユーザは、操作部３をタッチすることで入力装置１の機能を発揮させる。
【００６８】
入力装置１については図２〜図５を用いて説明する。図２は、実施の形態１に係る入力装置１を例示した斜視図である。図３Ａは、図２のＩＩＩ−ＩＩＩ線における入力装置１の断面を例示した断面図である。図４は、実施の形態１に係る光源２０と、導光体１２０と、意匠部１１０とを例示した模式図である。図４では、本体１０、第１シート３１、第２シート３２等を省略している。図５は、実施の形態１に係る入力装置１を例示したブロック図である。
【００６９】
図２に示すように、入力装置１は、平板状のパネルである。入力装置１は、上述の収納ボックス１００の開閉操作等を行うための模様（後述する意匠部１１０）が表示される。図２では模様を省略している。模様については特に限定されず如何様であってもよい。
【００７０】
図２〜図５に示すように、入力装置１は、本体１０と、複数の光源２０と、第１シート３１と、第２シート３２と、導光体１２０と、制御回路４０と、タッチセンサ電極５０とを備える。なお、制御回路４０は、本体１０に内蔵されていてもよいし、本体１０の外部に設ける構成であってもよい。
【００７１】
本体１０は、透光性を有する。本体１０は、光源２０が出射した光が導光する導光板である。本体１０では、第２シート３２に実装されている光源２０から発光された光が導光し、導光した光が意匠部１１０から出射する。本体１０は、透明な材料により構成されており、例えば、アクリル、ポリカーボネート等の樹脂材料である。
【００７２】
また、本体１０は、光源２０及び導光体１２０を内包した状態で一体的に形成される。さらに、本体１０は、第１シート３１及び第２シート３２と一体的に形成される。ここで、一体的とは、異なる部材同士が接着しているだけでなく、部材が他の部材に内包されている状態等を含む意味である。
【００７３】
図３Ａに示すように、第１シート３１は、本体１０の表面１０ａに積層される。第１シート３１には、意匠部１１０が形成される。第１シート３１は、意匠部１１０が形成された部分を通過する光以外の光を遮光する。本実施の形態では、第１シート３１は、本体１０を導光する光を第２シート３２に向けて反射する。第１シート３１は、光反射機能を有する塗装材料、光反射シート等であるが、光吸収機能を有していてもよい。本実施の形態では、第１シート３１には、複数の操作部３に応じて、複数の意匠部１１０が一対一で形成される。
【００７４】
意匠部１１０は、入力装置１から光が出射する部分である。意匠部１１０は、本体１０の表面１０ａが露出した部分であり、本体１０を導光する光が通過する空間である。つまり、意匠部１１０は、第１シート３１が形成されていない部分（空間）であり、第１シート３１に形作られる。
【００７５】
なお、別の例としては、意匠部１１０には、本体１０の一部（突出部）が形成されていてもよい。つまり、第１シート３１が形成されていない部分に本体１０が形成されていてもよい。
【００７６】
さらに別の例として、意匠部１１０は、加飾部と、薄肉部とを有していてもよい。加飾部は、本体１０の表面１０ａに積層された、透光性のフィルム又はシート状の層である。薄肉部は、加飾部の上面（Ｘ軸プラス方向側の面）に積層された第１シート３１の一部である。薄肉部では、第１シート３１が他の部分よりも薄肉に積層されている。具体的には、意匠部１１０の模様に応じた加飾部を本体１０の表面１０ａに積層し、さらにその上に第１シート３１が積層される。このため、入力装置１の操作部３の表面は面一となるが、加飾部の上面の部分（薄肉部）が薄肉となる。これにより薄肉部では、光が透光する。このように、意匠部１１０から光が出射することができればよい。
【００７７】
複数の光源２０は、導光体１２０に向けて光を出射する。具体的には、複数の光源２０は、発光素子２１を白色系の樹脂（以下、リフレクタ２２という）で封止固定されている。そして、光源２０は、例えば図３ＡではＹ軸プラス方向に光を出射する姿勢で、第２シート３２に実装される。より具体的には、光源２０の発光素子２１は、出射する光の光軸方向、つまり、Ｙ軸プラス方向と導光体１２０とが交差する姿勢で本体１０に配置される。
【００７８】
複数の光源２０のそれぞれは、例えば、発光素子２１としてＬＥＤ（Ｌｉｇｈｔ  Ｅｍｉｔｔｉｎｇ  Ｄｉｏｄｅ）により構成される。複数の光源２０のそれぞれは、白色光、青色光、赤色光、緑色光等の光を出射する。なお、複数の光源２０のそれぞれは、ＬＥＤ以外の発光素子２１により構成されてもよく、例えば、有機ＥＬ（Ｅｌｅｃｔｒｏ  Ｌｕｍｉｎａｎｃｅ）電球等により構成されていてもよい。
【００７９】
なお、複数の光源２０のそれぞれは、互いに同じ種類の光源、例えば、互いに同じ種類の発光素子２１（例えばＬＥＤ）により構成されてもよい。また、この場合の同じ種類の発光素子２１とは、発光条件（例えば、付与される電流又は電力の大きさ）が同じ場合に、同じ輝度で発光する発光素子のことである。
【００８０】
第２シート３２は、本体１０の裏面１０ｂに積層され、第１シート３１等に向けて、本体１０を導光する光を反射する。第２シート３２は、本体１０側の面に導電パターン３３を有し、回路基板としての役割を担う。また、第２シート３２の本体１０側の面（表面側）には、導電パターン３３に光源２０が実装されるとともに、光源２０とは異なる位置にタッチセンサ電極５０が配置される。また、第２シート３２の表面側もしくはその裏面側には、図５の制御回路４０が実装される。なお、制御回路４０は、第２シート３２の導電パターン３３と電気的に接続された別の基板に実装されていてもよい。
【００８１】
また、第２シート３２は、例えば、表面に塗装材料が塗布されたフレキシブル基板、光反射シート等である。第２シート３２のベース材には、例えば、ポリカーボネート、ポリエチレンテレフタレート、ポリイミド等のフィルムが用いられる。本実施の形態では、第２シート３２にフレキシブル基板を用いている。
【００８２】
導光体１２０は、直方体状であり、透光性を有する。導光体１２０は、本体１０とは別体である。導光体１２０は、Ｘ軸方向から視てタッチセンサ電極５０の少なくとも一部と重なるように第２シート３２の表面側に固定され、本体１０と第２シート３２との間に配置され、かつ、本体１０を介して光源２０と対向するように配置される。導光体１２０は、タッチセンサ電極５０のＸ軸プラス方向側の面に配置される。導光体１２０、本体１０及び第１シート３１をＸ軸方向に視た場合に、導光体１２０は、少なくとも一部が意匠部１１０と重なっている。本実施の形態では、導光体１２０は、本体１０の内部に埋め込まれる。なお、本実施の形態では、導光体１２０と第１シート３１との間に本体１０が形成されているが、本体１０が無くてもよい。導光体１２０は、案内部の一例である。また、導光体１２０の形状は直方体状に限定されるものではなく、後述する角錐台状でもよいし、入射面１２１と光源２０が発する光の光軸Ｊとがほぼ垂直になるように配置された多面体状であってもよい。
【００８３】
図３Ａ及び図４に示すように、導光体１２０は、入射面１２１と、出射面１２２と、複数の第１反射面１２３とを有する。
【００８４】
入射面１２１は、光源２０から発せされた光が入射する面（Ｙ軸マイナス方向側の面）である。入射面１２１は、本体１０を介して光源２０と対向する面であり、光軸Ｊと交差する。
【００８５】
出射面１２２は、導光体１２０の内部を導光した光が出射する面（Ｘ軸プラス方向側の面）である。出射面１２２は、本体１０を介して意匠部１１０と対向する面である。
【００８６】
複数の第１反射面１２３は、導光体１２０の内部を導光する光を反射する面である。複数の第１反射面１２３は、入射面１２１及び出射面１２２以外の面である。つまり、複数の第１反射面１２３は、導光体１２０のＸ軸マイナス方向側の面、Ｙ軸プラス方向側の面、Ｚ軸プラス方向側の面、Ｚ軸マイナス方向側の面である。複数の第１反射面１２３のそれぞれには、光反射機能を有する反射シート１３０が貼り付けられる。なお、複数の第１反射面１２３のそれぞれには、反射シート１３０に代わって、反射膜が形成されていてもよい。また、反射シート１３０が形成されていなくてもよい。例えば、導光体１２０と本体１０との屈折率差によって第１反射面１２３を実現してもよい。例えば、導光体１２０の方が本体１０よりも屈折率が高い材料で構成されていてもよい。第１反射面１２３は反射面の一例である。
【００８７】
入射面１２１、出射面１２２及び導光体１２０の内部の少なくともいずれかには、光拡散材が分散されていてもよい。また、入射面１２１、出射面１２２及び導光体１２０の内部の少なくともいずれかには、着色剤が分散されていてもよい。つまり、光拡散材及び着色剤は、光源２０から意匠部１１０までの光路上に配置されている。光拡散材及び着色剤は、両方が導光体１２０に分散されていてもよく、いずれかが選択的に導光体１２０に分散されていてもよい。また、着色剤は、例えば、光源２０の発する光が白色の場合、光源２０の発する光の色を赤色、青色、黄色、緑色等に着色する。
【００８８】
なお、光拡散材及び着色剤は、導光体１２０と第１シート３１との間の本体１０、より具体的には、第１シート３１及び本体１０を表面から見て、意匠部１１０と本体１０と重なる部分に光拡散材及び着色剤が分散されていてもよい。
【００８９】
また、導光体１２０は、図３Ｂ、図３Ｃ及び図３Ｄのように設けられていてもよい。図３Ｂ、図３Ｃ及び図３Ｄは、実施の形態１に係る入力装置の断面を例示した断面図である。
【００９０】
図３Ｂに示すように、導光体１２０は、光源２０を内包するように、タッチセンサ電極５０からＹ軸方向に長尺であってもよい。つまり、導光体１２０により、光源２０が本体１０と直接接触しない構造になっている。この場合、光源２０と導光体１２０との隙間をエポキシ等の熱硬化樹脂で埋めてから、インサート成形することが好ましい。
【００９１】
また、図３Ｃのように、導光体１２０と光源２０とがあらかじめ一体的に形成されたものでもよい。
【００９２】
このような図３Ｂ、図３Ｃの構造とすることで、本体１０を形成する過程において、樹脂材料によるインサート成形によって本体１０を成形する際に、高温、高圧の溶融樹脂材料に対して光源２０を保護することができる。
【００９３】
また、図３Ｄに示すように、導光体１２０は、タッチセンサ電極５０から光源２０のＹ軸プラス方向側の面である発光面２０ａ（光出射面ともいう）まで、Ｙ軸方向に長尺であってもよい。また、導光体１２０は、少なくとも光源２０の発光面２０ａを覆うように、第２シート３２の本体１０側の面に沿って配置される。ここで、発光面２０ａは、光源２０が発する光の光軸Ｊと直交する面であり、Ｘ−Ｚ平面と平行である。
【００９４】
なお、導光体１２０の入射面１２１が光源２０の発光面２０ａと当接する又は近接する位置まで配置されていてもよい。このため、図３Ｄに示す導光体１２０には限定されない。
【００９５】
いずれの場合も、光源２０が発する光が導光体１２０の入射面１２１に効率的に入射させることができる。
【００９６】
図３Ａ及び図５に示すように、制御回路４０は、光源２０の動作を制御する。制御回路４０は、タッチセンサ電極５０が出力した信号に基づいて、ユーザによってタッチされた位置であるタッチ位置を検出する。制御回路４０は、検出したタッチ位置に対応する意匠部１１０の位置に応じた機能を発揮する。例えば、制御回路４０は、タッチセンサ電極５０が、意匠部１１０に対応する位置を検出している時に、操作部３がタッチされれば、操作部３の意匠部１１０が示す模様に応じたコマンドの入力を受け付ける。
【００９７】
また、制御回路４０は、入力装置１、天井窓、照明装置等を複数の動作モードで動作させる。例えば、制御回路４０は、図１の収納ボックス１００を開閉する動作モード、天井窓を開閉する動作モード、車室内の照明装置を点灯又は消灯する動作モード等を有する。つまり、制御回路４０は、意匠部１１０が示す模様に応じて、入力装置１、天井窓、照明装置等を動作させる。
【００９８】
タッチセンサ電極５０は、例えば第２シート３２の表面、裏面、もしくは両面に配置され、ユーザによってタッチされた際に、信号を制御回路４０に出力する。タッチセンサ電極５０は、例えば静電容量式等のセンサ電極である。
【００９９】
図３Ａでは、タッチセンサ電極５０は、第２シート３２と導光体１２０とで挟まれる。タッチセンサ電極５０及び導光体１２０をＸ軸方向に視た場合に、これらは重なっている。また、タッチセンサ電極５０は、Ｘ軸方向に視た場合に、意匠部１１０と重なる位置に配置され、かつ、タッチセンサ電極５０は、第２シート３２の本体１０側の面上における光源２０とは異なる位置に配置される。そして、タッチセンサ電極５０及び光源２０は、第２シート３２の本体１０側の面に沿って実装される。ここで、光源２０に内蔵される導電体および光源２０が実装される導電パターン３３に起因するタッチセンサ電極５０の感度の低下、誤動作、及び、入力装置１の厚みの観点から、タッチセンサ電極５０は、意匠部１１０の直下（Ｘ軸マイナス方向側）に配置されるとともに、光源２０を意匠部１１０からタッチセンサ電極５０までの間に配置せず、タッチセンサ電極５０と光源２０とを第２シート３２の本体１０側の面上において異なる位置に配置している。
【０１００】
［動作］
図３Ａ及び図４に示すように、このような入力装置１では、例えば、光源２０が発する光は、本体１０を導光し、導光体１２０の入射面１２１に入射する。入射面１２１に入射した光は、導光体１２０の内部を導光し、第１反射面１２３に入射する。第１反射面１２３に入射した光は、反射して出射面１２２に向かう。出射面１２２から出射した光は、第１シート３１の意匠部１１０に集まる（意匠部１１０及び意匠部１１０の周囲に集まる）。意匠部１１０に集まる一部の光は意匠部１１０から出射し、残りの一部の光は第１シート３１の裏面で反射して導光体１２０に戻り、また、第１シート３１の意匠部１１０の周囲に集まるといったことを繰り返す。
【０１０１】
点灯時及び消灯時の様子を図６に例示する。図６は、実施の形態に係る入力装置１の操作部３の点灯時と消灯時とを例示した平面図である。
【０１０２】
図６に示すように、光源２０が点灯時では、意匠部１１０（意匠部１１０で露出している本体１０）から光が出射される。これにより、ユーザは、点灯時における意匠部１１０の模様を認識することができる。また、消灯時では、入力装置１の操作部３の表面は面一（一様）であるため、ユーザは、意匠部１１０の模様を視認できない又は視認し難くなる。
【０１０３】
［作用効果］
次に、本実施の形態における入力装置１の作用効果について説明する。
【０１０４】
本実施の形態に係る入力装置１は、光を発する光源２０と、意匠部１１０が形成される第１シート３１と、導電パターン３３を有し、導電パターン３３に光源２０が実装されるとともに、光源２０とは異なる位置にタッチセンサ電極５０が配置される第２シート３２と、第１シート３１と第２シート３２との間に挟まれ、第１シート３１と第２シート３２と一体的に形成され、かつ、光源２０が発した光を導光する本体１０と、光源２０から意匠部１１０までの光路上に配置され、本体１０の内部を導光する光を意匠部１１０に案内する、本体１０とは別体の導光体１２０とを備える。また、光源２０及び導光体１２０は、第２シート３２の本体１０側の面に沿って配置される。また、本体１０は、光源２０及び導光体１２０を内包した状態で一体的に形成される。導光体１２０は、光源２０と対向しかつ光が入射する入射面１２１と、意匠部１１０と対向しかつ光が出射する出射面１２２と、入射面１２１及び出射面１２２以外の面であり、導光体１２０の内部を導光する光を出射面１２２側に反射する第１反射面１２３とを有する。
【０１０５】
このため、導光体１２０では、入射面１２１から入射して内部を導光する光が第１反射面１２３に入射し、第１反射面１２３で反射する。第１反射面１２３で反射した光は、出射面１２２から出射し、意匠部１１０に向かう。こうして、意匠部１１０に光を集めることができる。
【０１０６】
また、光源２０及び導光体１２０は、第２シート３２の本体１０側の同一面上に配置されることになる。このため、例えば光源と導光体とをＸ軸方向に並ぶように重ねる場合よりも、本実施の形態の入力装置１では、入力装置１の厚みを薄くすることができる。
【０１０７】
したがって、この入力装置１では、入力装置１の意匠部１１０から輝度の高い光を出射することができ、かつ、入力装置１の厚みを薄くすることができる。その結果ユーザは、意匠部１１０の模様を視認し易くなる。また、収納ボックス１００の設置面に入力装置１を設置した場合、ユーザは、収納ボックス１００の設置面に対して飛び出た入力装置１の場合の凹凸が抑制される。その結果、例えば、収納ボックス１００を構成する蓋部のような薄い部材の設置面にも、入力装置１を適用することができるとともに、入力操作部分（操作部３）を均一面状とすることができるので、意匠性が向上する。
【０１０８】
また、本実施の形態に係る入力装置１において、導光体１２０には、入射面１２１、出射面１２２及び導光体１２０の内部の少なくともいずれかに光拡散材が分散される。このため、導光体１２０を導光する光を確実に拡散することができる。拡散された光が導光体１２０の出射面１２２から出射されて意匠部１１０に集まるため、意匠部１１０は、輝度斑が抑制された光を出射することができる。
【０１０９】
また、本実施の形態に係る入力装置１において、導光体１２０には、入射面１２１、出射面１２２及び導光体１２０の内部の少なくともいずれかに着色剤が分散される。このため、導光体１２０を導光する光の色を所望の色に着色する（変更する）ことができる。
【０１１０】
本実施の形態に係る入力装置１において、導光体１２０の軟化点は、本体１０の軟化点よりも高い。例えば、入力装置１を製造する場合において、光源２０、導光体１２０等を実装した第２シート３２を金型に収容し、樹脂材料を用いたインサート成形によって本体１０を形成することで、入力装置１を得ることができる。この場合、導光体１２０の軟化点が、本体１０となる樹脂材料の軟化点よりも低ければ、インサート成形時に導光体１２０が融解してしまうことがある。しかし、導光体１２０の軟化点が本体１０の軟化点よりも高いため、導光体１２０の融解を抑制することができる。
【０１１１】
（実施の形態１の変形例１）
実施の形態１の変形例１の入力装置の構成を、図７及び図８を用いて説明する。
【０１１２】
図７は、実施の形態１の変形例１に係る入力装置の断面を例示した断面図である。図８は、実施の形態１の変形例１に係る光源２０と、導光体２２０と、意匠部１１０とを例示した模式図である。図８では、本体１０、第１シート３１、第２シート３２等を省略している。
【０１１３】
本変形例における他の構成は、特に明記しない場合は、実施の形態１と同様であり、同一の構成については同一の符号を付して構成に関する詳細な説明を省略する。
【０１１４】
導光体２２０は、角錐台状であり、断面が台形状である。導光体２２０は、光源２０から発せられた光が入射する入射面１２１と、光を反射する複数の第１反射面２２３と、光が出射する出射面１２２とを有する。
【０１１５】
複数の第１反射面２２３のうちの一部は、傾斜面２２４である。第１反射面２２３は反射面の一例である。
【０１１６】
傾斜面２２４は、Ｚ−Ｙ平面に対して傾斜した傾斜面２２４である。傾斜面２２４は、光源２０の光軸Ｊと交差している。傾斜面２２４は、光源２０から遠ざかる（Ｙ軸プラス方向に向かう）につれてＸ軸プラス方向に昇り傾斜している。導光体２２０、本体１０及び第１シート３１をＸ軸方向から視た場合に、導光体２２０は、意匠部１１０と少なくとも一部が重なっている。なお、傾斜面２２４は、内部を導光する光を出射面１２２に向けて反射する。傾斜面２２４は、本体１０との界面で全反射させる。傾斜面２２４は、入射面１２１及び本体１０を介して光源２０と対向し、かつ、出射面１２２及び本体１０を介して意匠部１１０と対向する。具体的には、傾斜面２２４は、光源２０とで入射面１２１を挟み、入射面１２１に対する光源２０側とは反対側（Ｙ軸プラス方向側）に配置され、かつ、意匠部１１０とで出射面１２２を挟み、出射面１２２に対する意匠部１１０側とは反対側（Ｘ軸マイナス方向側）に配置される。なお、傾斜面２２４には、反射シート２３０が貼り付けられていてもよい。
【０１１７】
複数の第１反射面２２３は、入射面１２１、傾斜面２２４及び出射面１２２以外の面である。つまり、複数の第１反射面２２３は、導光体２２０のＸ軸マイナス方向側の面、Ｚ軸プラス方向側の面、Ｚ軸マイナス方向側の面である。第１反射面２２３は、光反射機能を有する反射シート２３０が貼り付けられる。なお、反射シート２３０が形成されていなくてもよい。例えば、導光体２２０と本体１０との屈折率差によって第１反射面２２３を実現してもよい。また、反射シート２３０の代わりに光反射フィルムでもよく、光反射機能を有する光反射材料を分散して第１反射面２２３を実現してもよい。
【０１１８】
導光体２２０のＺ軸プラス方向側の面（第１反射面２２３）、及び、Ｚ軸マイナス方向側の面（第１反射面２２３）には、第１反射面２２３の形状に応じた反射シート２３０が貼り付けられる。
【０１１９】
このような、本変形例における入力装置の作用効果について説明する。
【０１２０】
本変形例に係る入力装置において、導光体２２０は、さらに、入射面１２１を介して光源２０と対向し、かつ、出射面１２２を介して意匠部１１０と対向する傾斜面２２４を有する。
【０１２１】
このため、光源２０が発する光は、入射面１２１を介して傾斜面２２４に入射し、出射面１２２に向けて傾斜面２２４で反射する。出射面１２２から出射した光は意匠部１１０に向かい易くなるため、意匠部１１０に光をより集めることができる。これにより、この入力装置では、入力装置の意匠部１１０からより輝度の高い光を出射することができる。
【０１２２】
（実施の形態１の変形例２）
実施の形態１の変形例２の入力装置の構成を、図９及び図１０を用いて説明する。
【０１２３】
図９は、実施の形態１の変形例２に係る入力装置の断面を例示した断面図である。図１０は、実施の形態１の変形例２に係る光源２０と、導光体３２０と、意匠部１１０とを例示した模式図である。図１０では、本体１０、第１シート３１、第２シート３２等を省略している。
【０１２４】
本変形例における他の構成は、特に明記しない場合は、実施の形態１の変形例１と同様であり、同一の構成については同一の符号を付して構成に関する詳細な説明を省略する。
【０１２５】
導光体３２０は、角錐台状であり、断面が台形状である。導光体３２０は、光源２０から発せられた光が入射する入射面１２１と、光を反射する複数の第１反射面３２３と、傾斜面３２４と、光が出射する出射面１２２とを有する。
【０１２６】
傾斜面３２４は、第１反射面３２３と同様に光を反射する機能を有する。第１反射面３２３は反射面の一例である。
【０１２７】
傾斜面３２４は、自由曲面である。このため、傾斜面３２４の形状については本変形例の図９及び図１０には限定されない。意匠部１１０の位置、大きさ及び形状に応じて、傾斜面３２４の曲率が場所によって異なっていてもよい。このため、意匠部１１０に応じた傾斜面３２４を用いることができるため、この入力装置では意匠部１１０の設計の自由度を高くすることができる。
【０１２８】
導光体３２０のＺ軸プラス方向側の面（第１反射面３２３）、及び、Ｚ軸マイナス方向側の面（第１反射面３２３）には、第１反射面３２３の形状に応じた反射シート３３０が貼り付けられる。
【０１２９】
（実施の形態２）
実施の形態２の入力装置の構成を、図１１Ａを用いて説明する。
【０１３０】
図１１Ａは、実施の形態２に係る光源２０と、遮光部４３０ａ〜４３０ｃとを例示した模式図である。図１１Ａでは、本体１０、第１シート３１等を省略している。
【０１３１】
本実施の形態では、実施の形態１の導光体を設けていない。本実施の形態における他の構成は、特に明記しない場合は、実施の形態１と同様であり、同一の構成については同一の符号を付して構成に関する詳細な説明を省略する。
【０１３２】
図１１Ａに示すように、入力装置は、さらに、複数の遮光部４３０ａ〜４３０ｃを有する。
【０１３３】
複数の遮光部４３０ａ〜４３０ｃは、遮光性を有する。遮光部４３０ａ〜４３０ｃは、白色樹脂材又は黒色樹脂材で構成され、光を反射する機能を有する。遮光部４３０ａ〜４３０ｃは、第２反射面４３１ａ〜４３１ｃを有する。遮光部４３０ａ〜４３０ｃは、案内部の一例である。
【０１３４】
本体１０は、複数の遮光部４３０ａ〜４３０ｃによって光源２０から意匠部１１０までの光路を形成する。具体的には、複数の遮光部４３０ａ〜４３０ｃは、第２シート３２に対して直立した姿勢で配置されている。複数の遮光部４３０ａ〜４３０ｃのうちの一対の遮光部４３０ａ、４３０ｂは、光源２０の光軸Ｊと平行であり、かつ、所定の間隔を空けて互いに対面するように配置される。また、複数の遮光部４３０ａ〜４３０ｃのうちの１つの遮光部４３０ｃは、光源２０と本体１０を介して対向するように配置される。
【０１３５】
なお、本実施の形態では、３枚の遮光部４３０ａ〜４３０ｃを配置しているが、１枚の遮光部４３０ｃを光源２０から遠ざかる（Ｙ軸プラス方向に向かう）につれてＸ軸プラス方向に昇り傾斜するように配置するだけでもよい。つまり、１枚の遮光部４３０ｃを傾けた状態で配置してもよい。
【０１３６】
なお、複数の遮光部４３０ａ〜４３０ｃは、第２反射面４３１ａ〜４３１ｃを有さなくてもよい。複数の遮光部４３０ａ〜４３０ｃは、例えば板状の樹脂材（透光性があってもよい）の少なくとも１つの面に光を透過しない不透過膜、または、光の反射膜（第２反射面４３１ａ〜４３１ｃに相当）を備えていてもよい。ここで言う複数の遮光部４３０ａ〜４３０ｃ各々の少なくとも１つの面は、遮光部４３０ａ、４３０ｂではＺ軸方向におけるいずれかの面、遮光部４３０ｃではＹ軸方向におけるいずれかの面である。
【０１３７】
また、遮光部は、図１１Ｂのように設けられていてもよい。図１１Ｂは、実施の形態２に係る光源２０と、遮光部４３０ａ１、４３０ｂ１、４３０ｃとを例示した模式図である。
【０１３８】
図１１Ｂに示すように、遮光部４３０ａ１、４３０ｂ１は、Ｙ軸方向の長尺であり、光源２０におけるＺ軸方向の両側に配置される。つまり、遮光部４３０ａ１と遮光部４３０ｂ１との間には、光源２０が配置される。これにより、光源２０が発した光を、より効率的に意匠面１１０に案内することができる。
【０１３９】
また、実施の形態１と同様、本体１０を形成する過程において、樹脂材料によるインサート成形によって本体１０を成形する際に、高温、高圧の溶融樹脂材料に対して光源２０を保護するために、光源２０をあらかじめエポキシ等の熱硬化樹脂で覆っておくことが好ましい。
【０１４０】
［作用効果］
次に、本実施の形態における入力装置の作用効果について説明する。
【０１４１】
本実施の形態に係る入力装置において、遮光部４３０ａ〜４３０ｃは、光源２０から意匠部１１０までの光路を形成するように配置される。また、遮光部４３０ａ〜４３０ｃは、白色樹脂材又は黒色樹脂材で構成される。このため、遮光部４３０ａ〜４３０ｃは光を反射することで、光を遮光することができる。これにより、遮光部４３０ａ〜４３０ｃが光源２０から意匠部１１０までの光路を形成するため、意匠部１１０に光を集めることができる。
【０１４２】
本実施の形態における他の作用効果は実施の形態１の作用効果と同一の作用効果を奏する。
【０１４３】
（実施の形態３）
実施の形態３の入力装置の構成を、図１２を用いて説明する。
【０１４４】
図１２は、実施の形態３に係る入力装置の断面を例示した断面図である。
【０１４５】
本実施の形態では、実施の形態１の導光体を設けていない。本実施の形態における他の構成は、特に明記しない場合は、実施の形態１と同様であり、同一の構成については同一の符号を付して構成に関する詳細な説明を省略する。
【０１４６】
光源２０は、光源２０の出射する光の光軸Ｊが意匠部１１０に向く姿勢で第２シート５３２に実装される。本実施の形態では、光源２０の光軸Ｊと意匠部１１０とが交差している。
【０１４７】
また、光源２０は、本体１０の裏面から飛び出るように、本体１０に埋め込まれる。
【０１４８】
第２シート５３２は、飛び出た光源２０の形状に合わせてフォーミングされている。例えば、第２シート５３２は、光源２０を実装する前に、光源２０の出射する光の光軸Ｊが意匠部１１０に向く姿勢となるようにフォーミングされる。
【０１４９】
［動作］
このような入力装置では、例えば、光源２０が発する光は、本体１０を導光し意匠部１１０に向かう。そして、意匠部１１０に集まる一部の光は意匠部１１０から出射し、残りの一部の光は第１シート３１の裏面で反射して戻る。
【０１５０】
［作用効果］
次に、本実施の形態における入力装置の作用効果について説明する。
【０１５１】
本実施の形態に係る入力装置において、光源２０は、光源２０の出射する光の光軸Ｊが意匠部１１０に向く姿勢で第２シート５３２に実装される。このため、入力装置の意匠部１１０から輝度の高い光を出射することができる。
【０１５２】
本実施の形態における他の作用効果は実施の形態１の作用効果と同一の作用効果を奏する。
【０１５３】
なお、実施の形態１と同様、本体１０を形成する過程において、樹脂材料によるインサート成形によって本体１０を成形する際に、高温、高圧の溶融樹脂材料に対して光源２０を保護するために、光源２０をあらかじめエポキシ等の熱硬化樹脂で覆っておくことが好ましい。
【０１５４】
（実施の形態３の変形例）
実施の形態３の変形例の入力装置の構成を、図１３を用いて説明する。
【０１５５】
図１３は、実施の形態３の変形例に係る光源２０と、遮光部６３０ａ〜６３０ｃとを例示した模式図である。図１１Ａでは、本体１０、第１シート３１等を省略している。
【０１５６】
本変形例における他の構成は、特に明記しない場合は、実施の形態３と同様であり、同一の構成については同一の符号を付して構成に関する詳細な説明を省略する。
【０１５７】
入力装置は、さらに、複数の遮光部６３０ａ〜６３０ｃを有する。
【０１５８】
複数の遮光部６３０ａ〜６３０ｃは、白色樹脂材又は黒色樹脂材で構成され、光を反射する機能を有する、つまり、遮光性を有する。遮光部６３０ａ〜６３０ｃは、第２反射面６３１ａ〜６３１ｃを有する。遮光部６３０ａ〜６３０ｃは、案内部の一例である。
【０１５９】
複数の遮光部６３０ａ〜６３０ｃは、光路を形成するように配置される。具体的には、複数の遮光部６３０ａ〜６３０ｃは、第２シート３２に対して直立した姿勢で配置されている。複数の遮光部６３０ａ〜６３０ｃのうちの一対の遮光部６３０ａ、６３０ｂは、所定の間隔を空けて、本体１０を介して互いに対面するように配置される。また、複数の遮光部６３０ａ〜６３０ｃのうちの１つの遮光部６３０ｃは、光源２０と本体１０を介して対向するように配置される。
【０１６０】
（実施の形態４）
［構成］
実施の形態４の入力装置８００の構成を説明する。
【０１６１】
本実施の形態では、実施の形態１等のような導光体を設けていない。本実施の形態における他の構成は、特に明記しない場合は、実施の形態１等と同様であり、同一の構成については同一の符号を付して構成に関する詳細な説明を省略する。
【０１６２】
入力装置８００については図５及び図１４を用いて説明する。図１４は、実施の形態４に係る入力装置８００を例示した斜視図である。図１５は、実施の形態４に係る入力装置８００の第２シート３２、コネクタ８１及びケーブル８０を例示した斜視図である。図１６Ａは、図１５のＸＶＩＡ−ＸＶＩＡ線における入力装置８００の第２シート３２、コネクタ８１及びケーブル８０の断面を例示した断面図である。図１６Ｂは、図１５のＸＶＩＢ−ＸＶＩＢ線における入力装置８００の第２シート３２、コネクタ８１及びケーブル８０の断面を例示した断面図である。コネクタ８１及びケーブル８０は、第２シート３２に対して略垂直に直立している。
【０１６３】
複数の光源２０は、意匠部１１０に向けて光を出射する。具体的には、複数の光源２０は、導電パターン７１に実装された状態、例えば図１６Ａ及び図１６ＢではＸ軸プラス方向に光を出射する姿勢で、第２シート３２に実装される。より具体的には、光源２０は、出射する光の光軸方向、つまり、Ｘ軸プラス方向と意匠部１１０とが交差する姿勢で本体１０に配置される。複数の光源２０のそれぞれは、入力装置８００を表面から視た場合に、意匠部１１０と少なくとも一部が重なる。
【０１６４】
第２シート３２は、本体１０の裏面１０ｂに積層され、第１シート３１等に向けて、本体１０を導光する光を反射する。第２シート３２は、複数の光源２０等を実装し、導電パターン７１、７２を有する回路基板としての役割を担う。
【０１６５】
第２シート３２は、表面３２ａに形成された導電パターン７１と、裏面３２ｂに形成された導電パターン７２とを有する。第２シート３２の表面３２ａの導電パターン７１には、光源２０が実装される。第２シート３２は、意匠部１１０に光源２０の光軸Ｊが向く姿勢で、光源２０を実装する。
【０１６６】
また、第２シート３２には、表面３２ａの導電パターン７１と、裏面３２ｂの導電パターン７２との間にスルーホール３７が複数形成される。スルーホール３７には、例えば銅ペースト、銀ペースト等の導電性ペーストが充填されている。これにより、表面３２ａの導電パターン７１と、裏面３２ｂの導電パターン７２とは、複数のスルーホール３７を介して電気的に接続される。なお、本実施の形態では、スルーホール３７が複数形成されるが、スルーホール３７は１つでもよい。また、スルーホール３７は導電性ペーストが充填される構成には限定されず、例えばスルーホール３７の壁面を銅メッキすることにより、導電パターン７１と導電パターン７２とを電気的に接続する構成としてもよい。また、スルーホール３７の壁面の銅メッキ構成と導電性ペーストの充填構成とを同時に備えていてもよい。
【０１６７】
第２シート３２の裏面３２ｂの導電パターン７２には、コネクタ８１が配置される。コネクタ８１は、導電パターン７２と電気的に接続される。また、コネクタ８１は、さらに、タッチセンサ電極と電気的に接続される。タッチセンサ電極は、実施の形態１等と同様の構成である。タッチセンサ電極は、第２シート３２の表面３２ａ又は裏面３２ｂに設けられる。
【０１６８】
第２シート３２に配置したコネクタ８１の位置、及び、ケーブル８０の位置の関係について説明する。
【０１６９】
コネクタ８１が第２シート３２の隅以外（例えば第２シート３２の中央部分）に配置されている場合について図１７Ａを用いて説明する。図１７Ａは、第２シート３２の隅以外の位置にコネクタ８１が配置された場合における、第２シート３２、コネクタ８１及びケーブル８０を例示した模式図である。図１７Ａでは、２点鎖線でコネクタ８１の姿勢と、コネクタ８１からケーブル８０が引き出される３つの方向を例示している。
【０１７０】
この場合では、ケーブル８０は、第２シート３２の裏面３２ｂに沿う一方の方向（Ｙ軸マイナス方向）から第２シート３２に対する垂直方向（Ｘ軸マイナス方向）を経由してから第２シート３２の裏面３２ｂに沿う他方の方向（Ｙ軸プラス方向）までの間の角度（１８０度）に配置される（引き出される）。つまり、コネクタ８１は、ケーブル８０と電気的に接続できれば、どのような姿勢であってもよく、第２シート３２の裏面３２ｂに対して所定の角度で傾いていてもよい。ここでコネクタ８１の挿入穴が向く方向とは、コネクタ８１の挿入穴にケーブル８０を挿入する方向と反対方向であり、コネクタ８１からケーブル８０が引き出される方向である。
【０１７１】
また、コネクタ８１が第２シート３２の隅に配置されている場合について図１７Ｂを用いて説明する。図１７Ｂは、第２シート３２の隅にコネクタ８１が配置された場合における、入力装置８００の第２シート３２、コネクタ８１及びケーブル８０を例示した模式図である。図１７Ｂでは、２点鎖線でコネクタ８１の姿勢と、コネクタ８１からケーブル８０が引き出される２つの方向を例示している。
【０１７２】
この場合では、ケーブル８０は、第２シート３２の裏面３２ｂに沿う方向（Ｙ軸マイナス方向）から第２シート３２に対する垂直方向（Ｘ軸マイナス方向）までの間の角度に配置される（引き出される）。しかし、ケーブル８０が第２シート３２からはみ出る方向（本実施の形態では、Ｙ軸プラス方向）に、ケーブル８０は配置されない。つまり、コネクタ８１の挿入穴が向く方向は、Ｘ軸マイナス方向からＹ軸プラス方向までの間に向いていない。
【０１７３】
なお、図示はしないが、コネクタ８１が第２シート３２の隅に配置されている場合であっても、ケーブル８０は、Ｚ軸プラス方向からＸ軸マイナス方向を経由したＺ軸マイナス方向までの間に配置されてもよい。
【０１７４】
このように、コネクタ８１は、第２シート３２に配置される位置によって、ケーブル８０を配置することができる位置が変わる。少なくとも、第２シート３２を垂直方向に視た場合に、ケーブル８０が第２シート３２からはみ出ていない構成としている。
【０１７５】
また、第２シート３２は、図１８Ａ、図１８Ｂに示すように、裏面３２ｂに平面が形成された平板状の平面部１３２と、湾曲した曲面部１３１とを有する。本実施の形態では、第２シート３２の裏面３２ｂに形成される導電パターン７２を例示して説明する。導電パターン７２は、導電パターン７２ａと導電パターン７２ｂとで構成される。ここで図１８Ａは、第２シート３２及び導電パターン７２を平面視した場合の平面図である。また図１８Ｂは、図１８ＡのＸＶＩＩＩＢ−ＸＶＩＩＩＢ線における第２シート３２及び導電パターン７２の断面を例示した断面図である。
【０１７６】
第２シート３２を垂直方向に視た場合に、図１８Ａに示すように、曲面部１３１に形成されるＺ軸方向の導電パターン７２ｂの幅は、平面部１３２に形成されるＺ軸方向の導電パターン７２ａの幅よりも大きい。このような曲面部１３１は、第２シート３２に導電パターン７２を形成した後にフォーミングすることで形成される。
【０１７７】
なお、第２シート３２の表面３２ａに形成される導電パターン７１においても、曲面部１３１を形成する部分においては上述と同様である。
【０１７８】
［動作］
図１５、図１６Ａに示すように、このような入力装置８００では、例えば、光源２０が発する光は、本体１０を導光し、第１シート３１の意匠部１１０及び意匠部１１０の周囲に集まる。意匠部１１０及び意匠部１１０の周囲に集まる光は一部が意匠部１１０から出射し、残りの一部の光が第１シート３１の裏面で反射した後に光源２０で反射したりして、第１シート３１の意匠部１１０及び意匠部１１０の周囲に集まる。
【０１７９】
［作用効果］
次に、本実施の形態における入力装置８００の作用効果について説明する。
【０１８０】
本実施の形態に係る入力装置８００は、光を発する光源２０と、意匠部１１０が形成される第１シート３１と、導電パターン７１を有し、導電パターン７１に光源２０が実装される第２シート３２と、第１シート３１と第２シート３２との間に挟まれ、光源２０の発する光を導光する本体１０と、第２シート３２の本体１０側とは反対側の裏面に配置され、導電パターン７１と電気的に接続するコネクタ８１と備える。コネクタ８１は、ケーブル８０と電気的に接続する。ケーブル８０は、第２シート３２の裏面３２ｂに沿う方向から第２シート３２に対する垂直方向までの間の角度にケーブル８０が配置される。
【０１８１】
このように、コネクタ８１は、第２シート３２において光源２０とは反対側に配置され、導電パターン７１により光源２０と電気的に接続される。このため、フラットケーブル等のケーブル８０は、コネクタ８１を介して光源２０と接続されるので、従来のような延出部が無くなる。これにより、入力装置８００に応力がかかったとしても、配線（例えばケーブル８０）の断線が発生し難くなる。
【０１８２】
また、接続先のコネクタ８１に向けて、第２シート３２にコネクタ８１を配置すれば、ケーブル８０を折り返すことなく、コネクタ８１に電気的に接続されたケーブル８０の引き出し方向を滑らかにすることができる。このため、ケーブル８０を無理に折り返したりすることによる、ケーブル８０の断線が生じるといったことを抑制できる。
【０１８３】
したがって、入力装置８００内部のケーブル８０、導電パターン７１、７２、スルーホール等の配線が断線してしまうことを抑制することができる。
【０１８４】
また、本実施の形態に係る入力装置８００において、第２シート３２を垂直方向に視た場合に、ケーブル８０は、第２シート３２からはみ出ていない。
【０１８５】
例えば、第２シート３２を垂直方向に視た場合にケーブル８０が第２シート３２からはみ出ていれば、ケーブル８０が入力装置８００から露出することで入力装置８００に隙間が出来てしまい、防水効果が低下したり、ケーブル８０を覆うための入力装置８００が大型化したりすることがある。しかしながら、ケーブル８０が第２シート３２からはみ出ていなければ、このような問題点が生じ難い。これによりこの入力装置８００では、防水対策を講じやすい。
【０１８６】
また、本実施の形態に係る入力装置８００において、コネクタ８１と導電パターン７１との間（導電パターン７２と導電パターン７１との間）には、複数のスルーホール３７が形成される。これにより、第２シート３２の上にコネクタ８１を面実装できるので、入力装置８００を小型化することができる。
【０１８７】
また、例えば、溶解樹脂による第２シート３２をインサート成形する場合、高温、高圧の溶解樹脂の流れ込みにより、スルーホール３７が断線してしまうことがある。しかし、スルーホール３７が複数あれば、一部のスルーホール３７が断線しても、断線しない残りのスルーホール３７が第２シート３２の表面３２ａ側の導電パターン７１と、第２シート３２の裏面３２ｂ側のコネクタ８１とを電気的に接続する。このため、第２シート３２のインサート成形時における信頼性を確保することができる。
【０１８８】
また、本実施の形態に係る入力装置８００において、第２シート３２は、平板状の平面部１３２と、湾曲した曲面部１３１とを有する。また、曲面部１３１に形成される図１８Ａの導電パターン７２ａは、平面部１３２に形成される導電パターン７２ａよりも幅が大きい。
【０１８９】
導電パターン７２が形成された第２シート３２をフォーミングする際に、第２シート３２の導電パターン７２も同時にフォーミングされる。このため、フォーミングによる張力によって、導電パターン７２が断線してしまうことがある。しかし、曲面部１３１に形成される導電パターン７２は、平面部１３２に形成される導電パターン７２ａよりも幅が大きいため、フォーミングによる導電パターン７１の断線が生じ難くなる。なお、第２シート３２の表面３２ａの導電パターン７１においても同様である。
【０１９０】
また、本実施の形態に係る入力装置８００では、コネクタ８１が平面部１３２に配置されるため、コネクタ８１が第２シート３２の裏面３２ｂから浮いてしまうといったことが発生し難くなる。このため、コネクタ８１を第２シート３２に強固に固定することができる。
【０１９１】
（実施の形態５）
実施の形態５の入力装置の構成を、図１９を用いて説明する。
【０１９２】
図１９は、実施の形態５に係る入力装置の第２シート３２、コネクタ８１及びケーブル８０の断面を例示した断面図である。
【０１９３】
本実施の形態における他の構成は、特に明記しない場合は、実施の形態４等と同様であり、同一の構成については同一の符号を付して構成に関する詳細な説明を省略する。
【０１９４】
第２シート３２は、さらに、第１シート３１に近づくように形状が変形した凹部３５を有する。凹部３５は、第２シート３２をフォーミングすることで、第２シート３２の形状を変形させて形成される。本実施の形態では、凹部３５は、Ｘ軸プラス方向に凹んでいる。
【０１９５】
凹部３５と第１シート３１との間に存在する本体１０の厚みは、凹部３５以外の第２シート３２の平面部１３２と第１シート３１との間に存在する本体１０の厚みよりも薄い。
【０１９６】
凹部３５には、コネクタ８１が配置される。より具体的には、凹部３５は、平面部１３２に対して曲がる側面部３５ａと、凹部３５の底に相当する底部３５ｂとを有する。底部３５ｂは、平板状の平面を有する。底部３５ｂの表面３２ａ及び裏面３２ｂ（第２シート３２の表面３２ａ及び裏面３２ｂ）には、導電パターン７１、７２が形成される。
【０１９７】
底部３５ｂの表面３２ａに形成された導電パターン７１には、光源２０が実装される。光源２０の導電パターン７１への実装構成は、実施の形態４と同じである。底部３５ｂの裏面３２ｂに形成された導電パターン７２には、コネクタ８１が実装される。凹部３５は、少なくともコネクタ８１の一部を収容する。
【０１９８】
［作用効果］
次に、本実施の形態における入力装置の作用効果について説明する。
【０１９９】
本実施の形態に係る入力装置において、第２シート３２は、さらに、第１シート３１に近づくように形状が変形した凹部３５を有する。そして、凹部３５には、コネクタ８１が配置される。このため、入力装置の厚みが大きくなることを抑制することができる。
【０２００】
本実施の形態における他の作用効果は実施の形態４の作用効果と同一の作用効果を奏する。
【０２０１】
なお、本実施の形態では、光源２０の導電パターン７１への実装構成は、実施の形態４と同じ構成としているが、この構成に限定されない。すなわち、例えば、凹部３５の底部３５ｂに形成された導電パターン７１に光源２０を実装してもよい。この場合、凹部３５は、光源２０と意匠部１１０とを近づけるので、意匠部１１０の輝度を上げることができる。あるいは、同じ意匠部１１０の輝度を得るための光源２０の光量を低減することができるので、光源２０の消費電力が抑制される。
【０２０２】
（その他）
以上、本開示について、実施の形態１〜５、実施の形態１の変形例１、２及び実施の形態３の変形例に基づいて説明したが、本開示は、上記入力装置に限定されるものではない。
【０２０３】
例えば、上記各実施の形態１〜５、実施の形態１の変形例１、２及び実施の形態３の変形例に係る入力装置において、複数の光源は、導光体を挟むように、導光体に向けて光を出射してもよい。つまり、導光体には両側から光が入射してもよい。
【０２０４】
また、上記各実施の形態１〜５、実施の形態１の変形例１、２及び実施の形態３の変形例に係る入力装置は、光源、制御回路等を第１シートの表面に配置した部材を、用意された金型に収容し、樹脂材料を用いたインサート成形によって本体を形成することで得ることができる。また、予め、インサート成形によって本体だけを製造しておき、光源、制御回路等を第１シートの表面に配置した部材を嵌め合わせることで、入力装置を得てもよい。
【０２０５】
また、上記各実施の形態１〜５、実施の形態１の変形例１、２及び実施の形態３の変形例に係る入力装置において、意匠部は、２色成形樹脂、塗装膜のレーザ等によるパターン抜き処理、マスク処理（スクリーン印刷など）、転写によるインモールド工法、ＴＯＭ（Ｔｈｒｅｅ  ｄｉｍｅｎｓｉｏｎ  Ｏｖｅｒｌａｙ  Ｍｅｔｈｏｄ）工法、インサート成形等によって形成してもよい。なお、意匠部の形成については、これに限定されず、公知の他の手段を用いてもよい。
【０２０６】
また、上記各実施の形態１〜５、実施の形態１の変形例１、２及び実施の形態３の変形例に係る入力装置は、電池等から電力が給電されてもよく、例えば車両の電源から電力が供給されてもよく、商業用電力から電力が供給されてもよい。
【０２０７】
また、上記各実施の形態１〜５、実施の形態１の変形例１、２及び実施の形態３の変形例に係る入力装置において、第１シート及び第２シートは、フィルムを含む意味である。
【０２０８】
また、上記各実施の形態１〜５、実施の形態１の変形例１、２及び実施の形態３の変形例に係る入力装置は、収納ボックスの蓋部だけでなく、例えば、入力装置の薄型化が必要なアームレストやドア内面等に設けられる入力装置に適用してもよい。
【０２０９】
以上、本開示の一つ又は複数の態様に係る入力装置について、実施の形態１〜５、実施の形態１の変形例１、２及び実施の形態３の変形例に基づいて説明したが、本開示は、この実施の形態１〜５、実施の形態１の変形例１、２及び実施の形態３の変形例に限定されるものではない。本開示の趣旨を逸脱しない限り、当業者が思いつく各種変形を本実施の形態１〜５、実施の形態１の変形例１、２及び実施の形態３の変形例に施したものや、異なる実施の形態における構成要素を組み合わせて構築される形態も、本開示の一つ又は複数の態様の範囲内に含まれてもよい。
【産業上の利用可能性】
【０２１０】
本開示は、入力装置の意匠部から輝度の高い光を出射することができる入力装置等として有用である。
【符号の説明】
【０２１１】
１、８００  入力装置
１０  本体
２０  光源
２０ａ  発光面
３１  第１シート
３２、５３２  第２シート
３２ａ  第２シートの表面
３２ｂ  第２シートの裏面
３３、７１、７２、７２ａ、７２ｂ  導電パターン
３５  凹部
３７  スルーホール
５０  タッチセンサ電極
８０  ケーブル
８１  コネクタ
１１０  意匠部
１２０、２２０、３２０  導光体（案内部）
１２１  入射面
１２２  出射面
１２３、２２３、３２３  第１反射面（反射面）
１３１  曲面部
１３２  平面部
２２４、３２４  傾斜面
４３０ａ、４３０ｂ、４３０ａ１、４３０ｂ１、４３０ｃ、６３０ａ、６３０ｂ、６３０ｃ  遮光部（案内部）
【図１】
2020061352.tif 000003
【図２】
2020061352.tif 000004
【図３Ａ】
2020061352.tif 000005
【図３Ｂ】
2020061352.tif 000006
【図３Ｃ】
2020061352.tif 000007
【図３Ｄ】
2020061352.tif 000008
【図４】
2020061352.tif 000009
【図５】
2020061352.tif 000010
【図６】
2020061352.tif 000011
【図７】
2020061352.tif 000012
【図８】
2020061352.tif 000013
【図９】
2020061352.tif 000014
【図１０】
2020061352.tif 000015
【図１１Ａ】
2020061352.tif 000016
【図１１Ｂ】
2020061352.tif 000017
【図１２】
2020061352.tif 000018
【図１３】
2020061352.tif 000019
【図１４】
2020061352.tif 000020
【図１５】
2020061352.tif 000021
【図１６Ａ】
2020061352.tif 000022
【図１６Ｂ】
2020061352.tif 000023
【図１７Ａ】
2020061352.tif 000024
【図１７Ｂ】
2020061352.tif 000025
【図１８Ａ】
2020061352.tif 000026
【図１８Ｂ】
2020061352.tif 000027
【図１９】
2020061352.tif 000028